(57)【要約】【課題】弾球遊技機において、発射レールを不要にする。【解決手段】球供給装置５３から離脱して支承体５１の球載部材５７上に落下した遊技球は、打球槌４１によって打撃されて支承体５１から飛び出し、ファール球誘導リブ３２の上方を飛び越えて外レール２３の下端部に着地する。さらに、外レール２３に沿って走行し、逆止片２７を通過して遊技領域２４に飛び込む。球載部材５７と外レール２３との間には、発射レールに相当する部材はなく、球載部材５７と外レール２３との間の距離を大きくできるから、その空間によってファール球を確実に排除できる。打撃された遊技球を誘導するための誘導部材（例えば発射レール）を備える必要がないから部品点数を低減できる。【選択図】  図１
2004344324.tif 000002
【特許請求の範囲】
【請求項１】
球供給装置から排出された遊技球を受け止めて傾斜面にて下降誘導する球載部材及び該球載部材との間に遊技球が通過できない間隔を保って配されて前記下降誘導されてきた遊技球を発射位置にとどめる球止部材とからなる支承体と、
前進、後退の往復変位可能で前進時には前記発射位置におかれた遊技球を杵先で弾発する打球槌と、
該打球槌を往復駆動する駆動手段と、
前記打球槌にて弾発されて前記支承体から離脱した遊技球を遊技領域に向けて誘導する外レールとを備え、
前記球載部材と前記外レールとの間には、前記打球槌にて弾発された遊技球を前記外レールに向けて誘導するための誘導部材を備えないことを特徴とする弾球遊技機。
【請求項２】
請求項１記載の弾球遊技機において、
前記打球槌は、前記球載部材よりも上方に配された回動軸を中心にして往復揺動することを特徴とする弾球遊技機。
【請求項３】
請求項１又は２記載の弾球遊技機において、
前記球供給装置、前記支承体、前記打球槌、前記駆動手段及び後退変位する前記打球槌によって駆動されて前記球供給装置を駆動する伝達部材を１枚のベース板に取り付けてユニット化したことを特徴とする弾球遊技機。
【請求項４】
請求項３記載の弾球遊技機において、
前記球供給装置は、供給路から遊技球を取り入れる取入位置と該取り入れた遊技球を排出するが前記供給路の遊技球は止めおく送出位置とに往復変位する通断部材の１往復毎に１個の遊技球を前記球載部材上に排出する構造であり、
前記伝達部材は、前記後退変位する打球槌によって駆動されて従動変位する際には前記通断部材を前記送出位置から前記取入位置に変位させ、前記後退変位する打球槌による駆動力が及ぼされなくなると前記通断部材が前記取入位置から前記送出位置に変位するのを許し且つ前記従動変位の前期には前記打球槌の後退変位量に比例的に最大値まで変位するが該変位が最大値に達した以後は前記打球槌の後退変位量が増しても変位量は変化しない構造であることを特徴とする弾球遊技機。
【請求項５】
請求項４記載の弾球遊技機において、
前記球供給装置には、
遊技者が操作可能な球抜操作部材と、
該球抜操作部材を介して操作されて、前記送出位置の通断部材によって前記供給路に止めおかれていた遊技球を下皿に通じる下皿排出口に流出させる球抜位置に変化する球抜部材とが備わっていることを特徴とする弾球遊技機。
【発明の詳細な説明】
【０００１】
【発明の属する技術分野】
本発明は、弾球遊技機の技術分野に属する。
【０００２】
【従来の技術】
弾球遊技機には、遊技球を発射するための発射装置及び発射された遊技球を遊技領域に導くためのレール等が必要である。
従来の弾球遊技機では、例えば特許第２８７３８２０号公報（特許文献１）に開示されるように、発射レール（特許文献１では発射バンド１６）の端部に置かれた遊技球を打球杵で打撃して発射し、発射レール上を走行してから飛び出した遊技球をガイドレール（特許文献１では誘導バンド１２）にて誘導して遊技領域に飛び込ませている。
【０００３】
なお、発射レールとガイドレールとを一連としてもよいのだが、弾発されたものの遊技領域に到達できずに沿って戻ってくる遊技球（ファール球）が発生することがあるので、これが発射レールに戻るのを防止するために、発射レールとガイドレールとを分離してファール球の排出路を設けている。
【０００４】
【特許文献１】
特許第２８７３８２０号公報
【０００５】
【発明が解決しようとする課題】
従来の弾球遊技機においては、発射レールを備えることは当然であり常識であった。しかし、発明者は、打球杵によって打撃、発射された遊技球の挙動を詳細に研究し、発射レール上を走行させなくても遊技球の軌道が不安定にならないことを発見し、本発明を完成した。
【０００６】
【課題を解決するための手段および発明の効果】
請求項１記載の遊技機は、球供給装置から排出された遊技球を受け止めて傾斜面にて下降誘導する球載部材及び該球載部材との間に遊技球が通過できない間隔を保って配されて前記下降誘導されてきた遊技球を発射位置にとどめる球止部材とからなる支承体と、前進、後退の往復変位可能で前進時には前記発射位置におかれた遊技球を杵先で弾発する打球槌と、該打球槌を往復駆動する駆動手段と、前記打球槌にて弾発されて前記支承体から離脱した遊技球を遊技領域に向けて誘導する外レールとを備え、前記球載部材と前記外レールとの間には、前記打球槌にて弾発された遊技球を前記外レールに向けて誘導するための誘導部材を備えないことを特徴とする。
【０００７】
球載部材と外レールとの間には、打球槌にて弾発された遊技球を外レールに向けて誘導するための誘導部材（例えば発射レール）を備えないから、球載部材と外レールとの間に形成される空間距離を大きくできる。例えばその空間によってファール球を確実に排除できる。
【０００８】
支承体上の遊技球を十分な強さで正確に打撃すれば、打撃された遊技球は、誘導部材（例えば発射レール）によって誘導されなくても、外レールに向かって飛翔し、外レール上に良好に着地して外レール上を走行する。すなわち、打撃された遊技球を誘導するための誘導部材（例えば発射レール）を備える必要はない。
【０００９】
支承体を構成する球載部材は、打撃された遊技球を誘導する役割を持たず、球供給装置から排出された遊技球を載せおくことが可能であればよいから、その寸法（長さ、幅）の最低値は遊技球の直径ほどもあればよい。
ただし、球供給装置から排出された遊技球が常に正確に一点に落ちてくるわけではないし、また弾むこともあるので、長さについては遊技球の直径の２〜３倍程度とするのが好ましい。一方、幅は、従来の発射レールがそうであったように、他の部材を側方に配せば遊技球が横から落下するのを防げるので、遊技球の直径を少し上回る程度で十分である。
【００１０】
球止部材は、遊技球が球載部材から落下するのを防止して発射位置にとめおき可能ならよいので、例えばピン程度のサイズでも十分であるが、低反発のエラストマを含む合成ゴムのように遊技球の弾みを抑える部材を用いる方が好適である。ただし、球供給装置から排出された遊技球が弾むこともあるので、弾んだ遊技球が飛越できない高さ（例えば遊技球の直径の２〜３倍程度の高さ）を持たせるとよい。
【００１１】
打球槌は、駆動手段によって駆動されて前進、後退往復変位し前進時には発射位置におかれた遊技球を杵先で弾発することができれば、駆動手段も含めて、その構成等に特段の限定はない。
ただし、請求項２記載のように、前記打球槌は、前記球載部材よりも上方に配された回動軸を中心にして往復揺動する構成とすれば、発射位置にある遊技球を振り子状に移動する打球槌にて打ち上げるように（遊技球と槌先との接点における力の作用方向が球載部材の載置面と交差しないように）打撃できるから、誘導部材（例えば発射レール）を備えない構成に好適である。同様に、プランジャ式ソレノイドや前記球載部材よりも下方に配された回動軸を中心にして往復揺動する構成される打球槌であっても、遊技球を打球槌にて打ち上げが可能な位置に配置すれば用いてもよい。
【００１２】
請求項３記載の弾球遊技機は、請求項１又は２記載の弾球遊技機において、前記球供給装置、前記支承体、前記打球槌（請求項２の構成では回動軸も含む）、前記駆動手段及び後退変位する前記打球槌によって駆動されて前記球供給装置を駆動する伝達部材を１枚のベース板に取り付けてユニット化したので、これらの構成同士の位置や寸法関係等をきわめて正確にできる。これにより、一層正確な打撃と発射が可能になる。また、このようにユニット化したので、遊技機に組み付ける作業を行うことなくユニットのみで容易に弾発状態を確認することもできると共に、弾球遊技機の組み立てにおける取り付け作業も容易且つ正確になる。
【００１３】
請求項４記載の弾球遊技機は、請求項３記載の弾球遊技機において、
前記球供給装置は、供給路から遊技球を取り入れる取入位置と該取り入れた遊技球を排出するが前記供給路の遊技球は止めおく送出位置とに往復変位する通断部材の１往復毎に１個の遊技球を前記球載部材上に排出する構造であり、
前記伝達部材は、前記後退変位する打球槌によって駆動されて従動変位する際には前記通断部材を前記送出位置から前記取入位置に変位させ、前記後退変位する打球槌による駆動力が及ぼされなくなると前記通断部材が前記取入位置から前記送出位置に変位するのを許し且つ前記従動変位の前期には前記打球槌の後退変位量に比例的に最大値まで変位するが該変位が最大値に達した以後は前記打球槌の後退変位量が増しても変位量は変化しない構造であることを特徴とする。
【００１４】
球供給装置における、取入位置と送出位置とに往復変位する通断部材の１往復毎に１個の遊技球を排出する構造並びに伝達部材は、打球槌によって駆動されて従動変位する際には通断部材を送出位置から取入位置に変位させ、打球槌による駆動力が及ぼされなくなると通断部材が取入位置から送出位置に変位するのを許す構造は公知である。
【００１５】
しかし、伝達部材が前記従動変位の前期には前記打球槌の後退変位量に比例的に最大値まで変位するが該変位が最大値に達した以後は前記打球槌の後退変位量が増しても変位量は変化しない点は新規である。
伝達部材の変位量は、最大値に達するまでは打球槌の後退変位量に追随し、最大値に達した以後は追随せずに変化しないので、取込位置になった通断部材を安定させる。また、通断部材の変位範囲を小さくできるから球供給装置の小型化にも通じる。
【００１６】
請求項５記載の弾球遊技機は、請求項４記載の弾球遊技機において、前記球供給装置には、遊技者が操作可能な球抜操作部材と、該球抜操作部材を介して操作されて、前記送出位置の通断部材によって前記供給路に止めおかれていた遊技球を下皿に通じる下皿排出口に流出させる球抜位置に変化する球抜部材とが備わっているので、球抜操作部材を操作すれば、通断部材によって供給路に止めおかれていた遊技球をすべて下皿へと排出でき、球供給装置内に遊技球が残留しない。
【００１７】
【発明の実施の形態】
次に、本発明の実施例により発明の実施の形態を説明する。なお、本発明は実施例に限定されるものではなく、本発明の要旨を逸脱しない範囲でさまざまに実施できることは言うまでもない。
【００１８】
【実施例】
図１は、弾球遊技機であるパチンコ機１０の前枠（ガラス板保持枠）、上皿、下皿、発射ハンドル等の前面構造を撤去して、遊技盤２０及び発射装置３０を露呈させた状態の正面図である。
【００１９】
この図１に示すように、中枠２１によって保持された遊技盤２０には、内レール２２及び外レール２３が取り付けられており、これらによって囲まれた略円形の領域が遊技領域２４となる。遊技領域２４には入賞装置、風車、釘等が装備されており（これらは周知であるので図示を省略）、最下部にはアウト穴２５が開口している。
【００２０】
内レール２２及び外レール２３は公知のパチンコ機と同様に金属帯であるが、本実施例の外レール２３の下端部が遊技盤２０の左下隅の付近で途絶しており、遊技盤２０の下辺付近にまでは達していない点で従来の外レールとは違っている。
【００２１】
発射装置３０（詳細は後述）は、中枠２１に設けられた発射装置支持部３１に取り付けられている。
発射装置支持部３１にはファール球誘導リブ３２が設けられ、その下部にはファール通路３３が開口している。また、ファール球誘導リブ３２と外レール２３の下端との間には補助リブ２６が配置されている。補助リブ２６の下方で発射装置支持部３１に開口している穴は、賞球を上皿に誘導するための賞球排出口３４である。
【００２２】
発射装置３０によって発射された遊技球は、外レール２３に沿って走行して、普通は内レール２２の先端に取り付けられている逆止片２７を弾性変形させて遊技領域２４に飛び出す。逆止片２７を通過した遊技球は遊技領域２４から戻ることはないが、多数の遊技球の中には遊技領域２４に到達できずにファール球となるものもある。
【００２３】
ファール球は外レール２３に沿って落下するが、その落下先にはファール球誘導リブ３２が待ちかまえていて、ファール球をファール通路３３へ誘導する。ファール通路３３に流入した遊技球は図示省略する経路で下皿に放出される。
発射装置３０は、図２に示すように、１枚のベース板４０に打球槌４１、駆動源となるモータ４３、シャフト４５を介して打球槌４１を駆動するための駆動機構４７、操作軸４９ａに接続された発射ハンドル（図示せず）の回転量を駆動機構４７に伝達する調整機構４９、打球槌４１によって打撃される遊技球が載置される支承体５１、支承体５１上に遊技球を１個ずつ供給するための球供給装置５３、打球槌４１による駆動力を球供給装置５３に伝達する伝達部材５５等を取り付けてユニット化したものである。
【００２４】
図３に示すように、支承体５１は、図にて右下がりに傾斜（傾斜角度は約４９度）して配された球載部材５７、鉛直方向に沿って配された球止部材５９、それらを連結している基板部６１等で構成され、ビスにてベース板４０に固定されている。球載部材５７は、球供給装置５３から排出された遊技球を上面５７ａ（傾斜面）にて受け止めて、その傾斜にて下降誘導する。上面５７ａを移動してきた遊技球は、球止部材５９に接触することで移動を阻まれて停止する（発射位置にされる）。
【００２５】
打球槌４１の先端にはコイルバネの杵先６３が装着されている。打球槌４１は回動軸となるシャフト４５を介してベース板４０に軸支されており、シャフト４５を中心として振り子状に往復変位可能である。杵先６３の軸はシャフト４５を中心とする円弧の接線に沿っている。
【００２６】
打球槌４１は、駆動機構４７（図２参照）に内蔵されている打撃バネ（図示せず）によって前進方向（図３において時計回り方向）に付勢されているが、ストッパホルダ６５ａにてベース板４０に取り付けられたゴム製の槌ストッパ６５によって前進限を規定されている。モータ４３が稼働しているときには、駆動機構４７はモータ４３の回転力を打球槌４１のシャフト４５に伝達して、打球槌４１を後退方向（図３において反時計回り方向）に変位させては解放することを繰り返す。後退変位から解放された打球槌４１は打撃バネの付勢力で前進変位し、杵先６３を球載部材５７と球止部材５９との間に進入させて発射位置にある遊技球を打撃する。
【００２７】
打球槌４１には、その後退変位時に伝達部材５５を駆動するための駆動腕６７が取り付けられている。駆動腕６７の先端にはピン６９が立設されており、ピン６９は伝達部材５５のレバー７１の上面に接触する。
レバー７１は、伝達部材５５を軸支する支軸７３の径方向に沿って延出された基部７４、基部７４からくの字状に折れている直線状の直部７６及び直部７６の先端側に連接された円弧状の弧部７８からなっている。
【００２８】
支軸７３はベース板４０に取り付けられており、伝達部材５５は支軸７３を中心にして回動可能である。
支軸７３を挟んでレバー７１と反対側になる部分には錘７９が取り付けられ、その先端には接触片８１が設けられている。錘７９はレバー７１に比べて十分に重く、重力だけが作用しているときには錘７９側が下降してレバー７１側が上昇する。
【００２９】
打球槌４１がモータ４３の回転力によって後退変位させられる際には、まず図４（ａ）に示すように、駆動腕６７のピン６９が直部７６に接触してレバー７１を押すので、レバー７１（伝達部材５５）は時計回りに変位し接触片８１が上昇する。
【００３０】
打球槌４１の後退変位が続くと、図４（ｂ）に示すようにピン６９が直部７６から外れて弧部７８に接触する。弧部７８はシャフト４５を中心とするピン６９の軌跡（円弧）に整合する形状であるので、ピン６９と弧部７８との接触位置が変化しても（図４（ｃ））、ピン６９はそれ以上レバー７１を押し下げない。すなわち、ピン６９が弧部７８に接触している範囲では伝達部材５５の変位量は変化しない。
【００３１】
打球槌４１が駆動機構４７による後退駆動から解放されて前進変位する際には、ピン６９によってレバー７１に及ぼされていた力も解除されるので、レバー７１（伝達部材５５）は反時計回りに変位し接触片８１が下降する。
このように、打球槌４１の後退、前進に伴って接触片８１が上昇、下降する。この接触片８１の動きが球供給装置５３の駆動力となる。
【００３２】
図５に示すように、球供給装置５３の内部には供給路に該当する球通路８５が設けられている。球通路８５の上端（入口）には上皿から遊技球が流入する。
球通路８５には球抜部材８７が付属している。球抜部材８７の係合ピン９１には球抜操作部材９３の環部９５が係合しており、球抜操作部材９３はバネ９７によって上昇付勢されている。このため、通常は球抜部材８７の先端部が球通路８５に進入していて、下端の下皿排出口８９へ遊技球が流出するのを阻んでいる（図５（ａ））。しかし、球抜操作部材９３を押し下げると、球抜部材８７が球通路８５から待避するので、球通路８５の遊技球が下皿排出口８９から流出する（図５（ｂ））。
【００３３】
このような、構造であるから、遊技者が球抜操作部材９３を押し下げ操作すれば、球通路８５の遊技球をすべて下皿へと排出でき球供給装置５３内に遊技球が残留しない。
また、球供給装置５３には、通断部材１０１が備わっている。
通断部材１０１は支軸１０２によって球供給装置５３に取り付けられており、支軸１０２を中心に揺動可能である。また、通断部材１０１には、支軸１０２の下側に球送りクランク１０３が取り付けられている。
【００３４】
図６に示すように、通断部材１０１は待機ポケット１０５を有するＬ字状の部材である。図６（ｂ）に示すように通断部材１０１が立っていると（送出位置）球通路８５の遊技球は通断部材１０１によって止められる。一方、図６（ａ）に示すように通断部材１０１を傾けると（取入位置）、球通路８５の遊技球が１個だけ通断部材１０１の待機ポケット１０５に取り入れられる。そして、通断部材１０１が再び送出位置になると（図６（ｂ））、待機ポケット１０５の遊技球は、待機ポケット１０５から離脱して供給口１０７を通り球載部材５７上に落下する。
【００３５】
この通断部材１０１の動作は、上述したように打球槌４１の後退、前進に伴っう接触片８１の動きが駆動力となっている。
つまり、図６（ａ）に示すように、打球槌４１の後退時に伝達部材５５が時計回りに変位するときに、接触片８１が球送りクランク１０３を突き上げて、通断部材１０１を送出位置から取入位置に変化させる。そして、打球槌４１の前進に伴って伝達部材５５が反時計回りに変位すると、球送りクランク１０３を突き上げていた接触片８１が下降するので、通断部材１０１は取入位置から送出位置に変化する。
【００３６】
打球槌４１の後退時における伝達部材５５の変位量は、その前期（ピン６９が直部７６に接触しているとき）には打球槌４１の後退変位量に比例的に最大値まで変位するが、ピン６９が直部７６から弧部７８に乗り変わる時点で変位量が最大値に達した以後は打球槌４１の後退変位量が増しても変化しないので、取込位置になった通断部材１０１を安定させる。また、通断部材１０１の変位範囲を小さくできるから球供給装置５３の小型化にも通じる。
【００３７】
通断部材１０１の待機ポケット１０５から離脱して球載部材５７上に落下した遊技球は、図３、図４を参照して説明したように、打球槌４１によって打撃される。打撃された遊技球は、図１に示すように支承体５１から飛び出し、ファール球誘導リブ３２の上方を飛び越えて外レール２３の下端部に着地する。そして、外レール２３に沿って走行し、逆止片２７を通過して遊技領域２４に飛び込む。
【００３８】
球載部材５７と外レール２３との間には、いわゆる発射レールに相当する誘導部材を備えないから、球載部材５７と外レール２３との間に形成される空間距離を大きくできる。例えばその空間によってファール球を確実に排除できる。
支承体５１上の遊技球を十分な強さで正確に打撃すれば、打撃された遊技球は、誘導部材（例えば発射レール）によって誘導されなくても、外レール２３に向かって飛翔し、外レール２３上に良好に着地して外レール２３上を走行する。すなわち、打撃された遊技球を誘導するための誘導部材（例えば発射レール）を備える必要はない。すなわち、部品点数を低減できる。
【００３９】
支承体５１を構成する球載部材５７は、打撃された遊技球を誘導する役割を持たず、球供給装置５３から排出された遊技球を載せおくことが可能であればよいから、その寸法（長さ、幅）の最低値は遊技球の直径ほどもあればよい。すなわち、部品の小型化が可能である。
【００４０】
しかも、打球槌４１は、球載部材５７よりも上方に配されたシャフト４５を中心にして往復揺動し、発射位置にある遊技球を振り子状に移動する打球槌４１にて打ち上げるように打撃するから、誘導部材（例えば発射レール）を備えない構成に好適である。
【００４１】
また、発射装置３０に関しては、球供給装置５３、支承体５１、打球槌４１、シャフト４５、駆動手段を構成するモータ４３並びに駆動機構４７、伝達部材５５等を１枚のベース板４０に取り付けてユニット化してあるから、これらの構成部品同士の位置や寸法関係等をきわめて正確にできる。これにより、一層正確な打撃と発射が可能になる。また、このようにユニット化したので、パチンコ機１０の組み立てにおける取り付け作業も容易且つ正確になる。
【００４２】
以上、実施例に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】実施例のパチンコ機の前面構造を撤去した状態の正面図。
【図２】発射装置の正面図（ａ）と平面図（ｂ）。
【図３】球供給装置を取り外した発射装置の正面図。
【図４】打球槌の動作と伝達部材の動作の説明図。
【図５】球供給装置の内部構造を説明するための透視図。
【図６】伝達部材による通断部材の駆動の説明図。
【符号の説明】
１０・・・パチンコ機（弾球遊技機）、
２０・・・遊技盤、
２２・・・内レール、
２３・・・外レール、
２４・・・遊技領域、
３０・・・発射装置、
３２・・・ファール球誘導リブ、
３３・・・ファール通路、
４０・・・ベース板、
４１・・・打球槌、
４３・・・モータ（駆動手段）、
４５・・・シャフト（回動軸）、
４７・・・駆動機構（駆動手段）、
５１・・・支承体、
５３・・・球供給装置、
５５・・・伝達部材、
５７・・・球載部材、
５７ａ・・・上面、
５９・・・球止部材、
６３・・・杵先、
８５・・・球通路（供給路）、
８７・・・球抜部材、
８９・・・下皿排出口、
９３・・・球抜操作部材、
１０１・・・通断部材。
【図１】
2004344324.tif 000003
【図２】
2004344324.tif 000004
【図３】
2004344324.tif 000005
【図４】
2004344324.tif 000006
【図５】
2004344324.tif 000007
【図６】
2004344324.tif 000008